(57)【要約】      （修正有）【課題】マイクロ電気治療美容シャワーヘッド及びマイクロ電気治療方法を提供する。【解決手段】マイクロ電気治療美容シャワーヘッドは、本体と、蓋体３０と、固定ベース４０と、給電機構と、を備え、本体は、中空の把持部及び把持部と互いに接続するカバー体１２を含み、且つ導電部５１を備え、把持部は、給水口１１１及び出水口１１２を備え、蓋体は、カバー体に接続され、且つ出水部が設けられ、固定ベースは、蓋体とカバー体との間に設けられ、固定ベースとカバー体との間により第１のキャビティが規制され、固定ベースと蓋体との間により第２のキャビティが規制され、固定ベース上には、出水口に連通される第１の貫通孔が開設され、給電機構は、本体の導電部に電気的に接続され、給電機構は、電流を生成し、水に当該電流を流すことによって、水を介して人体に通電する。【選択図】図３
2019107444.tif 000002
【特許請求の範囲】
【請求項１】
本体と、蓋体と、固定ベースと、給電機構と、を備え、
本体は、中空の把持部及び前記把持部と互いに接続するカバー体を含み、且つ導電部を備え、把持部は、給水口及び出水口を備え、
蓋体は、カバー体に接続され、且つ出水部が設けられ、
固定ベースは、蓋体とカバー体との間に設けられ、
固定ベースとカバー体との間により第１のキャビティが規制され、固定ベースと蓋体との間により第２のキャビティが規制され、
固定ベース上には、出水口に連通される第１の貫通孔が開設され、
給電機構は、本体の導電部に電気的に接続され、
給電機構は、電流を生成し、水に当該電流を流すことによって、水を介して人体に通電するマイクロ電気治療美容シャワーヘッド。
【請求項２】
前記給電機構は、水力発電装置であり、
水力発電装置は、水が給水口を介して水力発電装置に入り込むことによって、電流を生成し、水に当該電流を流し、
水力発電装置に入り込んだ水は、出水口を介してマイクロ電気治療美容シャワーヘッドの出水部から噴射する請求項１に記載のマイクロ電気治療美容シャワーヘッド。
【請求項３】
前記マイクロ電気治療美容シャワーヘッドは、導電機構をさらに備え、
前記導電機構は、第１の導電部を備え、
水力発電装置は、第１の導電部及び本体の導電部のそれぞれに電気的に接続され、
第１の導電部は、水力発電装置からの電流を水に流す請求項２に記載のマイクロ電気治療美容シャワーヘッド。
【請求項４】
前記導電機構は、第２の導電部をさらに備え、
水力発電装置は、第２の導電部を介して本体の導電部に電気的に接続される
請求項３に記載のマイクロ電気治療美容シャワーヘッド。
【請求項５】
前記導電機構は、制御回路モジュールをさらに備え、
水力発電装置により生成された電流は、制御回路モジュールを介して第１の導電部及び第２の導電部に流れ込み、
第１の導電部に流れ込んだ電流は、水に流され、これにより帯電された水は、出水部を介してマイクロ電気治療美容シャワーヘッドから噴射され、人体に接触されるとともに、人体が本体の導電部に接触することで、マイクロ電気治療美容シャワーヘッドから噴射される水の電流は、本体の導電部及び第２の導電部を介して制御回路モジュールに戻ることによって、完全な電流回路を形成する請求項４に記載のマイクロ電気治療美容シャワーヘッド。
【請求項６】
把持部の内部には、第３のキャビティを設けられ、
前記水力発電装置は、第３のキャビティの内部に位置し、
制御回路モジュールは、固定ベースに設けられ、且つ第１のキャビティに位置し、
第１の導電部及び第２の導電部は、いずれも制御回路モジュールに電気的に接続され、
第１の導電部の一部は、第１のキャビティに位置し、第１の導電部の他の一部は、第２のキャビティに位置している
請求項５に記載のマイクロ電気治療美容シャワーヘッド。
【請求項７】
マイクロ電気治療美容シャワーヘッドは、カバー体及び把持部に接続される装飾カバーをさらに備え、
装飾カバーには、複数の装飾孔が開設され、
蓋体は、装飾カバーに嵌合され、
出水部は、複数の噴水ノズルを備え、
噴水ノズルは、装飾孔に対応され、
水は、第２のキャビティに入った後、複数の噴水ノズルから噴射される請求項１に記載のマイクロ電気治療美容シャワーヘッド。
【請求項８】
マイクロ電気治療美容シャワーヘッドは、軟水器をさらに備え、
前記軟水器は、蓋体の中央部に設けられて、装飾カバーから突出される請求項７に記載のマイクロ電気治療美容シャワーヘッド。
【請求項９】
マイクロ電気治療美容シャワーヘッドは、蓋体に接続されるマッサージ器をさらに備え、
マッサージ器は、第１の導電部に電気的に接続されるマッサージヘッドを備え、
第１の導電部は、マッサージヘッドを介して水力発電装置により生成された電流を人体に流すことができる請求項３に記載のマイクロ電気治療美容シャワーヘッド。
【請求項１０】
マッサージ器は、蓋体に接続し、且つ部分的に第２のキャビティ内に位置するベース本体をさらに備え、
マッサージヘッドは、ベース本体に可動に接続され、
マッサージヘッドは、導電性ワイヤを介して第１の導電部に電気的に接続される請求項９に記載のマイクロ電気治療美容シャワーヘッド。
【請求項１１】
固定ベースは、固定部及び連通部を備え、
固定部の外周は、蓋体に接続され、
固定部には、第２の貫通孔及び前記第１の貫通孔が開設され、
制御回路モジュールは、固定部に固定され、
第１の導電部の他の一部は、第２の貫通孔を挿通して第２のキャビティ内に入り、
連通部の一端部は、第１の貫通孔に突き合わせ、連通部の他端部は、第３のキャビティ内に位置し出水口に連通される請求項６に記載のマイクロ電気治療美容シャワーヘッド。
【請求項１２】
前記制御回路モジュールは、水力発電装置により生成された交流電力を直流電力に変換し、第１の導電部及び第２の導電部に流し、
第１の導電部及び第２の導電部は、それぞれ導電性ワイヤを介して制御回路モジュールに電気的に接続でき、
第２の導電部は、カバー体の内周縁に固定される請求項６に記載のマイクロ電気治療美容シャワーヘッド。
【請求項１３】
第１の導電部は、導電ピンであり、
固定部上には、中空の第１のボスが設けられ、
第１のボスと第２の貫通孔とは、整列し連通され、
第１のボスの内縁には、第１のフランジが設けられ、
導電ピンの中間部の外周には、第２のフランジが設けられ、
導電ピンは、第２のフランジが第１のフランジに突き当たるまで第１のボス内に入り込むことによって、導電ピンの一部が第２の貫通孔を通過して第２のキャビティ内に位置するようになる請求項１２に記載のマイクロ電気治療美容シャワーヘッド。
【請求項１４】
固定部上には、雌ネジを有する第２のボスがさらに設けられ、
導電機構は、１対のストッパアームを含むストッパ片をさらに備え、
導電ピンは、一個のネジをストッパ片を挿通して第２のボス内にねじ込むことによって、
当該１対のストッパアームの間に狭れ、且つ第２のフランジに押し当てられる請求項１３に記載のマイクロ電気治療美容シャワーヘッド。
【請求項１５】
第２の導電部が、１対の挟持アームを含む導電性シートであり、
導電性シートは、導電性ワイヤに溶接され、
導電性シートは、一個のネジを当該１対の挟持アームの間を挿通してからカバー体の内周縁に螺合させることによって、カバー体に固定して接続される
請求項１３に記載のマイクロ電気治療美容シャワーヘッド。
【請求項１６】
把持部とカバー体とは、一体成形され、且つ導電材で製作され、
本体は、第１の接続部及び第２の接続部をさらに備え、
第１の接続部は、把持部に螺合され、第２の接続部は、第１の接続部内に嵌着され、
第２の接続部の一端部は、外部の水源の蛇口に接続するされるように、第１の接続部から露出され、
第２の接続部の他端部は、水力発電装置に突き当て、
第２の接続部は、貫通されている給水経路を備え、
第２の接続部の他端部の外壁には、開孔が設けられ、
外部の水源は、給水経路及び開孔を介して水力発電装置に入り込む請求項２に記載のマイクロ電気治療美容シャワーヘッド。
【請求項１７】
水力発電装置は、水力発電機及びマンドレルを備え、
水力発電機は、マンドレル内に挿通され、
水力発電機の両端部は、それぞれ第２の接続部及びマンドレルに突き当てられ、
マンドレルの両端部は、それぞれ第１の接続部及び連通部の他端部に突き当てられる請求項１６に記載のマイクロ電気治療美容シャワーヘッド。
【請求項１８】
シャワーヘッドに電流を供給するステップと、
シャワーヘッドを介して人体に電流を流すステップと、
シャワーヘッドを人体に接触させることによって、人体に流された電流がシャワーヘッドに戻るようにするステップと、を含むマイクロ電気治療方法。
【請求項１９】
シャワーヘッドに電流を供給するステップは、
シャワーヘッド内に水を流すことによって、シャワーヘッド内の水力発電装置が電流を生成するようにさせるステップを含む請求項１８に記載のマイクロ電気治療方法。
【請求項２０】
シャワーヘッドを介して人体に電流を流すステップは、
電流がシャワーヘッド及び水の順に経過し人体に流されるようにするステップを含む請求項１８に記載のマイクロ電気治療方法。
【請求項２１】
シャワーヘッドを介して人体に電流を流すステップは、
電流がシャワーヘッド及びシャワーヘッドのマッサージヘッドの順に経過し人体に流されるようにするステップを含む請求項１８に記載のマイクロ電気治療方法。
【発明の詳細な説明】
【技術分野】
【０００１】
本発明は、バスルーム分野に関し、特にシャワーヘッドに関する。
【背景技術】
【０００２】
現在、肌の質感を向上するための各種の美容機器が市場に出回っている。美容機器は、一般的にバッテリのような外部電源で駆動されることにより本体を動かすことで、肌をマッサージし、美容効果を実現する。
【０００３】
しかしながら、従来の様々な美容機器は、外部電源により駆動される必要があるので、即ち、外部電源を備えてこそ美容機器を運転させることができる。したがって、多くの美容機器の使用環境は乾燥な環境であり、水から離れている。水密構造をバッテリで駆動される美容機器に追加しても、水が入る恐れがあるので、これらの美容機器は、水が少量の環境でのみ運転が許可されている。シャワーを浴びながら使用すると、大きなセキュリティリスクが生じる。
【０００４】
したがって、如何にシャワーを浴びながら肌に美容効果を与えるかが、当該分野において急いで解決しなければならないという技術課題となっている。
【発明の概要】
【発明が解決しようとする課題】
【０００５】
本発明は、上記の問題点に鑑み、ユーザがシャワーを浴びながら肌がマイクロ電気治療の美容効果を得ることができるマイクロ電気治療美容シャワーヘッドを提供することを目的とある。
【課題を解決するための手段】
【０００６】
上記の目的を達成するために、本発明は、本体と、蓋体と、固定ベースと、給電機構と、を備え、本体は、中空の把持部及び前記把持部と互いに接続するカバー体を含み、且つ導電部を備え、把持部は、給水口及び出水口を備え、蓋体は、カバー体に接続され、且つ出水部が設けられ、固定ベースは、蓋体とカバー体との間に設けられ、固定ベースとカバー体との間により第１のキャビティが規制され、固定ベースと蓋体との間により第２のキャビティが規制され、固定ベース上には、出水口に連通される第１の貫通孔が開設され、給電機構は、本体の導電部に電気的に接続され、給電機構は、電流を生成し、水に当該電流を流すことによって、水を介して人体に通電する。
【０００７】
本発明の別の態様によれば、
シャワーヘッドに電流を供給するステップと、
シャワーヘッドを介して人体に電流を流すステップと、
シャワーヘッドを人体に接触させることによって、人体に流された電流がシャワーヘッドに戻るようにするステップと、を含む。
【発明の効果】
【０００８】
本発明は、従来技術に比べると、以下のような有利な効果がある。
【０００９】
本発明に係るマイクロ電気治療美容シャワーヘッドによれば、創造的にシャワーヘッドを美容機器に組合わせることによって、ユーザがシャワーを浴びる時、マイクロ電気治療美容シャワーヘッドの本体を手持ちしてシャワーヘッドのスイッチをオンすることによって、外部の水源が入ると、直ちにマイクロ電流を生成させるので、ユーザはシャワーを浴びながらマイクロ電気治療を受けることができ、シャワーの体験を向上させる。
【図面の簡単な説明】
【００１０】
【図１】本発明の第１の実施例に係るマイクロ電気治療美容シャワーヘッドの斜視図である。
【図２】本発明の第１の実施例に係るマイクロ電気治療美容シャワーヘッドの分解斜視図である。
【図３】本発明の第１の実施例に係るマイクロ電気治療美容シャワーヘッドの断面図である。
【図４】本発明の第１の実施例に係るマイクロ電気治療美容シャワーヘッドの部分斜視図であって、本体は示していない。
【図５】本発明の第１の実施例に係るマイクロ電気治療美容シャワーヘッドの部分斜視図であって、固定ベースは示していない。
【図６】本発明の第２の実施例に係るマイクロ電気治療美容シャワーヘッドの断面図である。
【図７】本発明に係るマイクロ電気治療美容シャワーヘッドの回路の模式図である。
【図８】本発明の一実施例に係る多機能マイクロ電気治療美容シャワーヘッドの断面図である。
【図９】本発明の一実施例に係る単機能マイクロ電気治療美容シャワーヘッドの断面図である。
【図１０ａ】本発明の第３の実施例に係るマイクロ電気治療美容シャワーヘッドの斜視図であって、給電機構はバッテリである。
【図１０ｂ】本発明の第３の実施例に係るマイクロ電気治療美容シャワーヘッドの分解斜視図であって、給電機構はバッテリである。
【図１１】本発明の第４の実施例に係るマイクロ電気治療美容シャワーヘッドの断面図であって、導電機構は第１の導電性ワイヤ及び第２の導電性ワイヤを備える。
【図１２】本発明の第４の実施例に係るマイクロ電気治療美容シャワーヘッドの断面図である。
【図１３】本発明の第４の実施例に係るマイクロ電気治療美容シャワーヘッドの部分斜視図である。
【図１４】本発明の第４の実施例に係るマイクロ電気治療美容シャワーヘッドの部分斜視図である。
【発明を実施するための形態】
【００１１】
以下、図面を参照しながら例示的な実施形態を更に詳しく説明する。但し、例示的な実施形態は様々な形態で実施されることができ、且つ、ここで記述する実施形態に限定されるものではないと理解されるべきである。逆に、これらの実施形態を提供するのは、本発明をさらに十分で完全に公開するためである。また、当業者に本発明の例示的な実施形態の旨を十分に伝えるためである。図面において、明確にするために、領域及び層の厚さが拡大して示す場合がある。図面において、同一又は類似の構成に同一の符号を付し、その詳細な説明は省略する。
【００１２】
また、記述する特徴、構成又は特性は、１つ又は複数の実施例において任意の適切な方法で組み合わせることができる。以下の説明において、多数の具体的な詳細を提供することで、本発明の実施例に対する十分な理解を与える。但し、当業者にとって、前記特定の詳細部分のうち１つ又は複数がなくても、或いは、その他の方法、構成要素、材料等を使用することで、本発明の技術手段を実践できることを理解されるべきである。その他の場合では、本発明の主要な技術的思想を不明瞭にさせることを避けるため、周知の構成、材料又は動作は詳細に図示又は説明しない。
＜第１の実施例＞
本発明に係るマイクロ電気治療美容シャワーヘッドは、図１及び図２に示すように、本体１０と、蓋体３０と、固定ベース４０と、給電機構と、を備える。
【００１３】
本体１０は、中空の把持部１１及び前記把持部１１と互いに接続するカバー体１２を含み、把持部は、給水口１１１及び出水口１１２を備える。本体１０は、導電部を備える。蓋体３０は、カバー体１２に接続され、出水部３１を備える。
【００１４】
固定ベース４０は、蓋体３０とカバー体１２との間に設けられる。固定ベース４０とカバー体１２との間により第１のキャビティＣ１が規制され、固定ベース４０と蓋体３０との間により第２のキャビティＣ２が規制される。固定ベース４０上には、出水口１１２に連通される第１の貫通孔Ｈ１が開設される。
【００１５】
給電機構は、本体１０の導電部に電気的に接続されている。給電機構は、電流を生成し、水に当該電流を流すことによって、水に介して人体に通電することができる。
【００１６】
具体的に、給電機構は、例えば水力発電装置２０である。水力発電装置２は、外部の水源が給水口１１１を介して水力発電装置２０に入った後、その水に生じた電流を流す。水力発電装置２０に入った水は、出水口１１２を介してマイクロ電気治療美容シャワーヘッドの出水部から噴射される。
【００１７】
したがって、本発明に係るマイクロ電気治療美容シャワーヘッドによれば、創造的にシャワーヘッドを美容機器に組合わせることによって、ユーザがシャワーを浴びる時、マイクロ電気治療美容シャワーヘッドの本体を手持ちしてシャワーヘッドのスイッチをオンすることによって、外部の水源を入ると、直ちにマイクロ電流を生成させるので、ユーザはシャワーを浴びながらマイクロ電気治療を受けることができ、シャワーの体験を向上させる。
【００１８】
本実施例において、マイクロ電気治療美容シャワーヘッドは、導電機構をさらに備える。前記導電機構は、第１の導電部５１を備える。水力発電装置２０は第１の導電部５１及び本体１０の導電部のそれぞれに電気的に接続されている。第１の導電部５１は、水力発電装置により生成された電流を水に流すことができる。
【００１９】
ここでは、図２及び図３に示すように、導電機構は、第２の導電部５２をさらに備えることができ、水力発電装置２０は、第２の導電部５２を介して本体１０の導電部に電気的に接続される。
【００２０】
本実施例において、第１の導電部５１に流された電流は、導電体を介して人体に流れる。図７を参照して、水力発電装置２０により生成された電流は、マイクロ電気治療美容シャワーヘッドと、導電体と、人との間で１つの完全な電流回路を形成する。この電流は、人体に受け入れられるマイクロ電流を形成し、導電体を介して人体に接触されることによって、マイクロ電気治療の効果が奏する。
【００２１】
本実施例において、導電体は水である。水力発電装置２０により生成された電流は、第１の導電部５１を介して水に流れ込む。これにより帯電された水は、出水部３１を介してマイクロ電気治療美容シャワーヘッドから噴射され（図３の矢印に示されるように）、人体に接触されるとともに、人体が本体１０の導電部に接触されているので、マイクロ電気治療美容シャワーヘッドから噴射される水の電流は、本体１０及び第２の導電部５２を介して制御回路モジュール５３に戻ることによって、完全な電流回路を形成する。
【００２２】
本実施例において、人とマイクロ電気治療美容シャワーヘッドとの間でマイクロ電流を通電する導電体として、水を用いる。マイクロ電流が流された出水部３１から噴射する水は、例えば顔面のような人体の肌に接触することによって、マイクロ電気治療の効果を奏する。
【００２３】
本実施例において、把持部１１の内部には、図１〜図５に示すように、第３のキャビティＣ３が設けられている。水力発電装置２０は、把持部１１の第３のキャビティＣ３の内部に位置している。
【００２４】
導電機構は、制御回路モジュール５３をさらに備える。制御回路モジュール５３は、固定ベース４０に設けられ、且つ第１のキャビティＣ１に位置している。水力発電装置１０により生成された電流は、制御回路モジュール５３を介して第１の導電部５１及び第２の導電部５２に入り込む。第１の導電部５１に流された電流は水に流される。これにより帯電された水は、出水部３１を介してマイクロ電気治療美容シャワーヘッドから噴射され、人体に接触されるとともに、人体が本体１０の導電部に接触されるので、マイクロ電気治療美容シャワーヘッドから噴射される水の電流は、本体１０及び第２の導電部５２を介して制御回路モジュール５３に戻ることによって、完全な電流回路を形成する。
【００２５】
本実施例において、第１の導電部５１及び第２の導電部５２は、いずれも制御回路モジュール５３に電気的に接続される。第１の導電部５１の一部は、第１のキャビティＣ１に位置し、第１の導電部５１の他の一部のは、第２のキャビティＣ２に位置している。第２の導電部５２は、本体１０の導電部に電気的に接続される。
【００２６】
制御回路モジュール５３が固定ベース４０に設けられることに限定されず、例えば本体又は蓋体のようなマイクロ電気治療美容シャワーヘッドの他の位置に設けられてもよいことが理解されるべきである。また、本実施例において、制御回路モジュール５３は、交流電力を直流電力に変換する機能をする。例えば、人体にとって安全な電流範囲内の直流電力に変換するが、当該制御回路モジュール５３は必ずしも必要な構成ではない。水力発電装置２０により生成された交流電力は、人体に通電され、且つ人体に受け入れられるものである。通常、人体にとって安全な電流範囲は、直流電流が１０ｍＡを超えてはいけなく、交流電流が３６Ｖを超えてはいけない。
【００２７】
一実施例において、制御回路モジュール５３は、例えば回路基板と、この回路基板の上に設けられる整流器と、を備える。本実施例における整流器は、その自体が電流を制限する機能を有する公知技術のものであるので、その説明を省略する。交流−直流電力変換を実現できる任意の構成は、いずれも本発明に適用されることが理解されるべきである。
【００２８】
例えば、図７を参照すると、制御回路モジュール５３内には、出力電圧を制御するための電圧安定器を設置することができ、且つ、電流の上限を制限可能な抵抗が直列に接続されることができる。例えば、電圧が３Ｖに安定され、抵抗が１５０００Ωである場合、人体の抵抗がいくらであっても、Ｉ＜Ｕ/Ｒ＝３/１５０００＝２００μＡの電流を確保することができる。本実施例における電流安定器は、公知技術のものであるため、その説明を省略する。
【００２９】
ここで、水力発電装置２０は、水が給水口１１１を介して水力発電装置２０に流れ込むと、電流を生成し、且つ、当該電流は制御回路モジュール５３に供給された後、第１の導電部５１及び第２の導電部５２のそれぞれに流れ込む。第１の導電部５１に入り込んだ電流は、導電体を介して（本実施例において、水を導電体とする。）人体に流れるとともに、人体が本体１０の導電部に接触されているので、導電体からの電流が本体１０及び第２の導電部５２を介して制御回路モジュール５３に戻ることで、水力発電装置２０に入った水流は、出水口１１２及び第１の貫通孔Ｈ１を介してマイクロ電気治療美容シャワーヘッドの出水部３１から噴射する。
【００３０】
本実施例において、出水部３１は、複数の噴水ノズル３１１を備えることができる。水は、第２のキャビティＣ２に入った後、複数の噴水ノズル３１１から噴射される。
【００３１】
本実施例において、マイクロ電気治療美容シャワーヘッドは、装飾カバー６０をさらに備えることができる。前記装飾カバー６０は、カバー体１２及び把持部１１に接続されている。装飾カバー６０には、複数の装飾孔６１が開設されている。蓋体３０は、装飾カバー６０に嵌合され、且つ噴水ノズル３１１は装飾孔６１に対応される。マイクロ電気治療美容シャワーヘッドは、軟水器７０をさらに備える。前記軟水器７０は、蓋体３０の中央部に設けられており、装飾カバー６０から突出される。
【００３２】
軟水器７０は、図１に示すように、中央部に設けられている。複数の噴水ノズル３１１は、軟水器７０を囲むように均一に分布されている。使用する時、ユーザは水流の水圧を調節することによって、必要とするマイクロ電気治療マッサージの力を得ることができる。従来のシャワーヘッドに用いられている水圧調節手段は、いずれも本発明に適用されることができる。また、当該手段を本発明の実施例に組み合わせて構成される技術手段は、本発明の範囲内に含まれることが理解されるべきである。
【００３３】
本実施例において、マイクロ電気治療美容シャワーヘッドは、図８に示すように、多機能シャワーヘッドであり、蓋体３０を回転することによって出水モードを切り替えることができる。例えば、単シャワー水、単軟水及び混合水の３つのモードの間で切り替えることができる。
【００３４】
本実施例において、マイクロ電気治療美容シャワーヘッドは、図９に示すように、単機能シャワーヘッドであり、例えば、シャワー水の出水モードのみを有する。
【００３５】
マイクロ電気治療美容シャワーヘッドの出水モード及び機能は、これに限定されず、必要に応じて、本発明のマイクロ電気治療美容シャワーヘッドの構造を調整することによって、従来のシャワーヘッドの任意の機能を有するようにさせられることが理解されるべきである。
【００３６】
本実施例において、固定ベース４０は、図２、３に示すように、固定部４１及び連通部４２を備える。固定部４１の外周は蓋体３０に接続されている。固定部４１には、第２の貫通孔Ｈ２及び前記第１の貫通孔Ｈ１が開設されている。制御回路モジュール５３は、固定部４１に固定され、第１の導電部５１の他の一部は、第２の貫通孔Ｈ２を挿通して第２のキャビティＣ２内に入る。具体的に、制御回路モジュール５３は固定部４１に溶接されてもよいが、シリカゲルを電子ポッティングすることによって固定部４１に固定して接続されてもよい。
【００３７】
連通部４２は、管状を成すことができ、その一端部は、第１の貫通孔Ｈ１に突き合わせ、その他端部は、３のキャビティＣ３内に入り込み、出水口１１２に連通されている。
【００３８】
本実施例において、制御回路モジュール５３は、例えばＰＬＣである。前記制御回路モジュール５３は、水力発電装置２０により生成された交流電力を直流電力に変換し、第１の導電部５１及び第２の導電部５２に流す。本実施例において、直流電力の電流は、４００μＡ未満の範囲であり、例えば、１０μＡ、１００μＡ、３００μＡ等である。電圧は、１〜１０Ｖの範囲であり、例えば、１Ｖ、３Ｖ、５Ｖ、８Ｖ等である。
【００３９】
第１の導電部５１及び第２の導電部５２は、図４及び図５に示すように、それぞれ導電性ワイヤを介して制御回路モジュール５３に電気的に接続されることができる。第２の導電部５２は、カバー体１２の内周縁に固定される。
【００４０】
ここで、第１の導電部５１は、図３に示すように、導電ピンであることができる。固定部４１上には、中空の第１のボス４３が設けられ、第１のボス４３と第２の貫通孔Ｈ２とは整列し連通されている。第１のボス４３の内縁には、第１のフランジ４４が設けられている。導電ピンの中間部の外周には、第２のフランジ５１１が設けられている。導電ピンは、第２のフランジ５１１が第１のフランジ４４に突き当たるまで第１のボス４３内に入り込むことによって、導電ピンの一部が第２の貫通孔Ｈ２を通過して第２のキャビティＣ２内に位置するようになる。
【００４１】
したがって、本実施例において、第１のフランジ４４は、導電ピンの第２のフランジ５１１に係合することで、挿入された導電ピンに対して位置規制を行う機能を果たしている。
本実施例において、固定部４１上には、雌ネジを有する第２のボス４５がさらに設けられている。導電機構は、１対のストッパアーム５４１を含むストッパ片５４をさらに備えている。導電ピンは、一個のネジ５５をストッパ片５４を挿通して第２のボス４５内にねじ込むことによって、上記の１対のストッパアーム５４１の間に狭れる。また、ストッパアーム５４１は、第２のフランジ５１１に押し当てられる。導電ピンの第２のフランジ５１１は、図３に示すように、ストッパ片５４と第１のフランジ４４との間に狭れることによって、図３の縦方向に沿って位置規制されｒ。また、導電ピンが上記の１対のストッパアーム５４１の間に狭れるので、導電ピンの第２のフランジ５１１は図４の径方向に沿って位置規制される。
【００４２】
また、導電ピンの第２のフランジ５１１と第１のフランジ４４との間には、さらにシールリング９０が狭れることができ、これにより、第２のキャビティＣ２内の水が第１のキャビティＣ１に進入することを回避できる。
【００４３】
本実施例において、第２の導電部５２は、図４及び図５に示すように、導電性シートである。導電性シートは、１対の挟持アーム５２１を備える。導電性シートは導電性ワイヤに溶接される。導電性シートは、一個のネジ５６を当該１対の挟持アーム５２１の間を挿通してからカバー体１２の内周縁に螺合させることによって、カバー体１２に固定して接続される。導電性シートがカバー体１２に電気的に接続されるように、ネジ５６とカバー体１２との接続部分は導電材からなる。
【００４４】
本実施例において、固定部４１上には、フレーム５７がさらに設けることができる。制御回路モジュール５３の装着位置は、前記フレーム５７によって制限される。
【００４５】
以上は、導電機構についての例示的な説明にすぎず、導電機構の構成、位置、接続関係は、これに限定されず、導電を実現できる任意の機構はいずれも本発明に適用される。
【００４６】
本実施例において、把持部１１とカバー体１２は一体成形されることができ、且つ内部と外部は導電材で製作される。本体１０は、図２及び図３に示すように、把持部１１に螺合される第１の接続部１３と、第２の接続部１４とをさらに備えることができる。第２の接続部１４は、第１の接続部１３内に嵌着される。そして、第２の接続部１４の一端部は、水管の管口のような外部水源の蛇口（図示せず）に接続されるように、第１の接続部１３から露出され、第２の接続部１４の他端部は、水力発電装置２０に突き当てている。第２の接続部１４は、貫通されている給水経路１４１を備える。第２の接続部１４の他端部の外壁には、開孔１４２が設けられている。外部の水源は、給水経路１４１及び開孔１４２を介して水力発電装置２０に流れ込むことができる。
【００４７】
本実施例において、水力発電装置２０は、水力発電機２１及びマンドレル２２を備えることができる。ここで、水力発電機２１は従来の水力発電機であってもよく、水が水力発電機に入った後、水力発電機のインペラを回転させることによって水力発電機が電流を生成するようにさせ、当該電流を制御回路モジュールに供給する。ここでは、水力発電機が従来の機構であるため、その構成について詳細な説明を省略する。水力発電機の種類はこれに限定されず、水流により電力を生成する任意の構成はいずれも本発明に適用されることが理解されるべきである。
【００４８】
水力発電機２１は、図３に示すように、マンドレル２２内に設置することができる。水力発電機２１の両端部は、それぞれ第２の接続部１４及びマンドレル２２に突き当てられ、マンドレル２２の両端部は、それぞれ第１の接続部１３及び連通部４２の他端部に突き当てられる。マンドレル２２は、水力発電機２１を固定する機能を果たし、構成の安定性を向上できる。また、第３のキャビティＣ３内には、マンドレル２２に突き当てるためのリブが備えることができる。上記構成の係合によって、水力発電装置２０全体を本体１０内に強固に装着することができる。
【００４９】
また、図２及び図３に示すように、マイクロ電気治療美容シャワーヘッド全体において、Ｏリングのような複数のシールリング９０が設けられることができる。例えば、前記シールリング９０は、第１の接続部１３と第２の接続部１４との間、マンドレル２２と連通部４２との間、及びマンドレル２２と水力発電機２１との間に設けられることができる。カバー体１２、蓋体３０、固定ベース４０及び装飾カバー６０の間の接続部分も、シール接続である。
＜第２の実施例＞
第２の実施例は、第１の実施例と略同じで、その相違点は、下記のとおりである。
【００５０】
マイクロ電気治療美容シャワーヘッドは、図６に示すように、マッサージ器８０をさらに備える。前記マッサージ器８０は、蓋体３０に接続される。マッサージ器８０は、マッサージヘッド８１を備える。前記導電体は、マッサージ器８０のマッサージヘッド８１である。マッサージヘッド８１と第１の導電部５１とは電気的に接続されている。第１の導電部５１は、マッサージヘッド８１を介して水力発電装置２０により生成された電流を人体に流すことができる。マッサージヘッド８１は、例えば導電シリカゲル等の導電材で制作されることができる。
【００５１】
本実施例において、マッサージ器８０は、ベース本体８２をさらに備える。前記ベース本体８２は蓋体３０に接続され、部分的に第２のキャビティＣ２内に位置している。マッサージヘッド８１は、ベース本体８２に可動に接続される。マッサージヘッド８１は、導電性ワイヤを介して第１の導電部５１に電気的に接続される。
【００５２】
したがって、第１の導電部５１が電流をマッサージヘッド８１に流すと、マッサージヘッド８１が人体に接触する時、人体が本体１０の導電材を有するハウジングに接触することによって、電流が本体１０及び第２の導電部５２を介して制御回路モジュール５３に戻るようになる。即ち、ユーザがシャワーヘッドを把持しマッサージヘッドでマッサージする時、電流はマッサージヘッド８１を介して人体の身に流れ込み、そして、シャワーヘッドの本体を介して戻ることで、完全な電流回路を形成する。
【００５３】
したがって、本実施例に係るマイクロ電気治療美容シャワーヘッドによれば、機械的マッサージヘッド及びマイクロ電流マッサージの効果を組合わせることで、ユーザはより快適な感覚を味わうことができる。
【００５４】
本実施例において、使用する際、水力発電装置２０に入り込んだ水は、蓋体３０の出水部３１を介して噴射することができ、第１の実施例のように、人体に接触することによって、マッサージヘッドとともにマイクロ電気治療効果を奏することができる。
＜第３の実施例＞
第３の実施例は、第１の実施例と略同じで、その相違点は、給電機構がバッテリであることである。
【００５５】
具体的に、バッテリ２３は、図１０ａ及び図１０ｂに示すように、固定ベース４０に装着され、導電性ワイヤを介してそれぞれの第１の導電部５１及び第２の導電部５２に電気的に接続されることができる。ここで、第１の導電部５１及び第２の導電部５２の構成、位置は、第１の実施例と略同じであってもよいので、その詳細な説明を省略する。
【００５６】
給電機構は、水力発電装置やバッテリに限定されず、任意の給電可能な機構はいずれも本発明に適用されることが理解されるべきである。給電機構は、マイクロ電気治療美容シャワーヘッドにおいて、例えば本体や蓋体のような任意の位置に設けられることができる。
＜第４の実施例＞
第４の実施例は、第１の実施例と略同じで、その相違点は、導電機構である。
【００５７】
具体的に、導電機構は、図１１〜図１４に示すように、第１の導電性ワイヤＳ１及び第２の導電性ワイヤＳ２を備える。第１の導電性ワイヤＳ１の一端部は、給電機構に電気的に接続され、第１の導電性ワイヤＳ１の他端部は、固定ベース４０上の孔に挿通されて第２のキャビティＣ２内まで入り込むことによって、直接に水と電気的に接続されることで、給電機構により生成された電流が水に流れ込む。本実施例において、第１の導電性ワイヤＳ１は、固定ベース４０上の孔内でシーラント４６を介してシール固定される。第２の導電性ワイヤＳ２は、同時に給電機構と、本体１０の導電部とに電気的に接続され、固定ベース４０により本体１０上に固定される。給電機構により生成された電流は、第２の導電性ワイヤＳ２を介して本体１０の導電部に流れ込むとともに、人体が本体１０の導電部と接触することによって、マイクロ電気治療美容シャワーヘッドから噴射する水の電流は、本体１０の導電部及び第２の導電性ワイヤＳ２を介して制御回路モジュールに戻るようにさせることで、完全な電流回路を形成する。
＜第５の実施例＞
本実施例によれば、
シャワーヘッドに電流を供給するステップと、
シャワーヘッドを介して人体に電流を流すステップと、
シャワーヘッドを人体に接触させることによって、人体に流された電流がシャワーヘッドに戻るようにするステップと、を含むマイクロ電気治療方法が提供する。
【００５８】
前記のマイクロ電気治療方法において、シャワーヘッドに電流を供給するステップは、  シャワーヘッドに水を流すことによって、シャワーヘッド内の水力発電装置が電流を生成するようにさせるステップを含んでもよい。
【００５９】
前記のマイクロ電気治療方法において、シャワーヘッドを介して電流を人体に流すステップは、電流がシャワーヘッド及び水の順に経過し人体に流されるようにするステップを含んでもよい。
【００６０】
前記のマイクロ電気治療方法において、シャワーヘッドを介して電流を人体に流すステップは、電流をシャワーヘッド及びシャワーヘッドのマッサージヘッドの順に通過し人体に流されるようにするステップを含んでもよい。
【００６１】
以上のように、本発明に係るマイクロ電気治療美容シャワーヘッドによれば、創造的にシャワーヘッドを美容機器に組合わせることによって、ユーザがシャワーを浴びる時、マイクロ電気治療美容シャワーヘッドの本体を手持ちしてシャワーヘッドのスイッチをオンすることによって、外部の水源が入ると、直ちにマイクロ電流を生成させるので、ユーザはシャワーを浴びながらマイクロ電気治療を受けることができ、シャワーの体験度を向上させる。
【００６２】
いくつかの典型的な実施例を参照しながら本発明を説明したが、用いた用語は説明及び例示的なものであり、制限的なものではないことが理解されるべきである。本発明は、発明の精神又は実体から逸脱しない範囲内で様々な形態で具体的に実施できるので、上記の実施例が任意の前述の詳細に限定されず、添付する特許請求の範囲により限定される精神及び範囲内で広く解釈されるべきであることから、特許請求の範囲又はその均等範囲内に入る全ての変更及び修正は、いずれも添付の特許請求の範囲に含まれるべきであることが理解されるべきである。
【図１】
2019107444.tif 000003
【図２】
2019107444.tif 000004
【図３】
2019107444.tif 000005
【図４】
2019107444.tif 000006
【図５】
2019107444.tif 000007
【図６】
2019107444.tif 000008
【図７】
2019107444.tif 000009
【図８】
2019107444.tif 000010
【図９】
2019107444.tif 000011
【図１０ａ】
2019107444.tif 000012
【図１０ｂ】
2019107444.tif 000013
【図１１】
2019107444.tif 000014
【図１２】
2019107444.tif 000015
【図１３】
2019107444.tif 000016
【図１４】
2019107444.tif 000017